(57)【要約】【課題】本発明は、制御基板を改竄しようとして基板収容ケースを不当に細工したりすると、その事実を簡単かつ確実に知ることができる遊技機の制御基板改竄チェックシステムを提供する。【解決手段】パチンコ機の内側にはゲームをコントロールする制御基板１０が収容される基板収容ケース１２が配設されている。この基板収容ケース１２のケース本体１６とケース蓋１８の境目にはケース本体１６とケース蓋１８に跨ってＩＣチップ封印シール２０が接着されている。このＩＣチップ封印シール２０のパッケージ部２２は透明な合成樹脂材で円形状に形成され、ＩＣチップ封印シール２０の裏面には接着剤２６が塗布されている。ＩＣチップ封印シール２０のデータはＩＣ読取チェッカー３０によって読み取られるようになっている。【選択図】    図１
2005021314.tif 000002
【特許請求の範囲】
【請求項１】
パチンコ機等の遊技機の遊戯をコントロールする制御基板が不正に改竄されたか否かをチェックする遊技機の制御基板改竄チェックシステムであって、前記制御基板が収容される基板収容ケースのケース本体とケース蓋に跨って接着されるＩＣチップ封印シールと、このＩＣチップ封印シールに内蔵されると共にデータが記憶されたＩＣチップと、このＩＣチップに記憶されたデータを読み取ることができるＩＣチップ読取チェッカーと、を有してなることを特徴とする遊技機の制御基板改竄チェックシステム。
【請求項２】
パチンコ機等の遊技機の遊戯をコントロールする制御基板が不正に改竄されたか否かをチェックする遊技機の制御基板改竄チェックシステムであって、前記制御基板が収容される基板収容ケースと遊技機の適宜個所に跨って接着されるＩＣチップ封印シールと、このＩＣチップ封印シールに内蔵されると共にデータが記憶されたＩＣチップと、このＩＣチップに記憶されたデータを読み取ることができるＩＣチップ読取チェッカーと、を有してなることを特徴とする遊技機の制御基板改竄チェックシステム。
【請求項３】
前記遊技機を設置する店舗毎に同一のコード番号をデータとして前記ＩＣチップに記憶させたことを特徴とする請求項１、請求項２記載の遊技機の制御基板改竄チェックシステム。
【発明の詳細な説明】
【０００１】
【発明の属する技術分野】
本発明は、パチンコ機等の遊技機に内設される制御基板を収容する基板収容ケースが不正に開けられたか否かを簡単かつ確実にチェックして前記制御基板の改竄事実をチェックできる遊技機の制御基板改竄チェックシステムに関する。
【０００２】
【従来の技術】
パチンコ機の内部にはパチンコ機のゲーム全般をコントロールする制御基板が基板収容ケースに収容された状態で配設されている。
このため、不法に前記基板収容ケースのケース蓋を開けて制御基板の電子部品を改造電子部品に交換する等、前記制御基板を改竄することにより当該パチンコ機のゲームをコントロールして多くの出玉を獲得する不正行為が可能となっている。
そこで、この不正行為を阻止するため前記制御基板が収容される基板収容ケースのケース本体とケース蓋に跨るようにして封印シールを接着することにより基板収容ケースが不正に開けられるのを防止している。
しかし、接着されている前記封印シールを強制的に剥がして前記基板収容ケースのケース蓋を開けて制御基板の電子部品を改造電子部品に交換等しても前記封印シールを元のように接着しておけばケース蓋を開けた事実をチェックしにくく、この結果前記改竄行為を放置してしまうという不具合がある。
【０００３】
【発明が解決しようとする課題】
本発明は上記事実に鑑みなされたものであり、制御基板を改竄しようとして基板収容ケースのケース蓋を開けると、読取チェッカーでその事実を簡単かつ確実に知ることができる遊技機の制御基板改竄チェックシステムを提供するものである。
【０００４】
【課題を解決するための手段】
請求項１の発明は、パチンコ機等の遊技機の遊戯をコントロールする制御基板が不正に改竄されたか否かをチェックする遊技機の制御基板改竄チェックシステムであって、前記制御基板が収容される基板収容ケースのケース本体とケース蓋に跨って接着されるＩＣチップ封印シールと、このＩＣチップ封印シールに内蔵されると共にデータが記憶されたＩＣチップと、このＩＣチップに記憶されたデータを読み取ることができるＩＣチップ読取チェッカーと、を有してなることを特徴としている。
請求項２の発明は、パチンコ機等の遊技機の遊戯をコントロールする制御基板が不正に改竄されたか否かをチェックする遊技機の制御基板改竄チェックシステムであって、前記制御基板が収容される基板収容ケースと遊技機の適宜個所に跨って接着されるＩＣチップ封印シールと、このＩＣチップ封印シールに内蔵されると共にデータが記憶されたＩＣチップと、このＩＣチップに記憶されたデータを読み取ることができるＩＣチップ読取チェッカーと、を有してなることを特徴としている。
請求項３の発明は、前記遊技機を設置する店舗毎に同一のコード番号をデータとして前記ＩＣチップに記憶させたことを特徴としている。
【０００５】
【発明の実施の形態】
図１及び図２には本発明に係る遊技機の制御基板改竄チェックシステムの第１実施例が示されている。なお、この実施例では遊技機の制御基板改竄チェックシステムを遊技機としてのパチンコ機に使用する場合を例にして説明する。
図１に示されるように、遊戯機としてのパチンコ機（図示せず）の内側にはパチンコ機の出玉数等のゲームをコントロールする制御基板１０が収容される基板収容ケース１２が配設されている。この基板収容ケース１２はパチンコ機の内側壁面１３に適宜手段で固定されたケース載置板１４に載置固定されている。
また、前記基板収容ケース１２はケース本体１６とケース蓋１８から形成され、ケース本体１６の内側に前記制御基板１０が載置固定されている。
前記ケース本体１６とケース蓋１８の境目にはケース本体１６とケース蓋１８に跨って円形状のＩＣチップ封印シール２０が接着されている。
図２に示されるように、このＩＣチップ封印シール２０のパッケージ部２２は透明な合成樹脂材で円形状に形成されている。このパッケージ部２２には極めて薄いＩＣチップ２４が内蔵されている。この実施例ではこのＩＣチップ２４に記憶されるデータとして前記パチンコ機が設置されるパチンコ店のコード番号（ＩＣチップ封印シール２０の販売会社が独自に作る番号で、例えばＡパチンコ店には「０００１」というコード番号）が記憶されている。
また、前記ＩＣチップ封印シール２０の裏面には接着剤２６が塗布され、接着剤２６を介してＩＣチップ封印シール２０は基盤収容ケース１２に接着されるようになっている。なお、この接着剤２６は予め剥離シート（図示せず）が接着され、ＩＣチップ封印シール２０の使用前にＩＣチップ封印シール２０が不用意に接着しないようになっている。
図１に示されるように前記ＩＣチップ封印シール２０のデータはＩＣ読取チェッカー３０によって読み取られるようになっている。このＩＣ読取チェッカー３０は前記ＩＣチップ２４に記憶されたデータを読み取る読取機能が内蔵され、電波を発信することにより前記ＩＣチップ２４に記憶されているデータを読み取ることができるようになっている。この読み取り結果はＩＣ読取チェッカー３０のディスプレー部３２に表示（例えば、データを読み取れると「ＯＫ」の文字が表示され、データを読み取れないと「ＮＧ」の文字が表示される）されるようになっている。
【０００６】
次に、第１実施例の遊技機の制御基板改竄チェックシステムの作用を説明する。
図１に示されるように、前記ＩＣチップ封印シール２０を基板収容ケース１２に接着する場合は、ＩＣチップ封印シール２０から剥離シートを剥がしてケース本体１６とケース蓋１８の境目でケース本体１６とケース蓋１８を跨ぐようにして接着剤２６を介して接着する。なお、前記基板収容ケース１２に接着するＩＣチップ封印シール２０の枚数は限定されないが、通常は１枚乃至２枚のＩＣチップ封印シール２０を基板収容ケース１２に接着して貼り付ける。
従って、深夜等にパチンコ店に忍び込んで前記基板収容ケース１０に収容されている制御基板１２を改竄しようとして無理に基板収容ケース１０のケース蓋１８を開けようとして前記ＩＣチップ封印シール２０を剥がそうとしてＩＣチップ封印シール２０に不当な力が加わると内蔵されているＩＣチップ２４が破損する。
この結果、パチンコ店側がチェックすべく前記ＩＣ読取チェッカー３０を使用して前記ＩＣチップ２４のデータを読み取ろうとしてＩＣ読取チェッカー３０を操作してもディスプレー部３２にはＩＣチップ２４に記憶されているデータを読み取れなかった表示（例えば「ＮＧ」の文字が表示される）が表れる。
従って、前記ＩＣ読取チェッカー３０がＩＣチップ２４のデータを読み取れずディスプレー部３２に「ＮＧ」の文字が表示された場合は当該パチンコ機を開けて基板収容ケース１０に収容されている制御基板１２が何者かによって改竄されているか否かを迅速に確認することができる。
この結果、不法にパチンコ機のゲームをコントロールして多くの出玉を不正に獲得する行為を未然に防止することができる。
【０００７】
なお、この実施例においては一のパチンコ店に納入する前記ＩＣチップ封印シール２０に内蔵されているＩＣチップ２４に記憶されたデータとして一のコード番号である「０００１」に統一し、二のパチンコ店に納入するＩＣチップ封印シール２０に内蔵されているＩＣチップ２４に記憶されたデータとして二のコード番号である「０００２」に統一している。
従って、前記Ａパチンコ店からＩＣチップ封印シール２０の追加注文があった場合には前記「０００１」のコード番号を記憶させたＩＣチップ２４のＩＣチップ封印シール２０を納入すればよく、また、前記Ａパチンコ店とは別のＢパチンコ店からＩＣチップ封印シール２０の追加注文があった場合には「０００２」のコード番号を記憶させたＩＣチップ２４のＩＣチップ封印シール２０を納入すればよい。
このため、多数のパチンコ店にＩＣチップ封印シール２０を納入販売する販売業者としてはパチンコ店毎に統一されたデータが記憶されたＩＣチップ封印シール２０を製造して納品すればよいので多数のパチンコ店にＩＣチップ封印シール２０を販売する場合であっても煩雑でなく、ＩＣチップ封印シール２０の製造管理や納品管理を行い易くすることができるというメリットがある。
また、実施例のように用にＩＣチップ封印シール２０のＩＣチップ２４に記憶させるデータが前記「０００１」のコード番号のように少ないと、製造コストを抑えることができるので前記ＩＣチップ封印シール２０やＩＣ読取チェッカー３０をより安価に提供することができる。
【０００８】
図３には本発明に係る遊技機の制御基板改竄チェックシステムの第２実施例が示されている。なお、第１実施例と同一の構成は同一の符号を用いてその説明を省略する。
図３に示されるように、第２実施例では前記ＩＣチップ封印シール２０は基板収容ケース１２とパチンコ機の内側壁面１３を跨ぐように接着されている。
従って、この場合は基板収容ケース１２を一旦、パチンコ機から取り外して基板収容ケース１２に収容されている制御基板１２を改竄しようとする場合において強制的にＩＣチップ封印シール２０を剥がそうとすることによりＩＣチップ封印シール２０に不当な力が加わるとＩＣチップ封印シール２０に内蔵されているＩＣチップ２４が破損する。
この結果、前記ＩＣ読取チェッカー３０を使用して前記ＩＣチップ２４をチェックする場合、ＩＣ読取チェッカー３０は破損されたＩＣチップ２４は読み取ることができずディスプレー部３２に「ＮＧ」の文字が表示が示されるので、パチンコ機毎に基板収容ケース１０が不当に取り外されたか否かを簡単かつ確実に確認することができる。
なお、他の構成、作用、効果は第１実施例と同一であるので、その説明は省略する。
【０００９】
なお、この実施例では遊技機としてパチンコ機を例にして説明したが遊技機はパチンコ機に限定されるものでなく、例えばパチスロ機等をはじめとする他の遊技機でもよいことは勿論である。
また、実施例ではＩＣチップ封印シール２０を円形状に形成したが、ＩＣチップ封印シール２０は円形状に限定されるものでなく、長方形状等他の形状でもよいことは勿論である。
なお、実施例ではＩＣチップ２４に記憶されるデータとして前記パチンコ機が設置されるパチンコ店のコード番号を記憶させたが、データはこれに限定されるものでないことは勿論である。
【００１０】
【発明の効果】
本発明の遊技機の制御基板改竄チェックシステムは、制御基板を収容してなる基盤収容ケースのケース蓋を開けられたか否かの事実を簡単かつ確実にチェックすることができるという優れた効果を有する。
また、請求項３の遊技機の制御基板改竄チェックシステムは、上記優れた効果の他に遊技機を設置する店舗は店舗毎に統一されたデータが記憶されたＩＣチップ封印シールを製造して納品すればよいので多数の店にＩＣチップ封印シールを販売する場合であっても煩雑でなく、ＩＣチップ封印シールの製造管理や納品管理を行い易くすることができるという優れた効果を有する。
【図面の簡単な説明】
【図１】第１実施例の遊技機の制御基板改竄チェックシステムの使用説明図である。
【図２】第１実施例の遊技機の制御基板改竄チェックシステムに使用されるＩＣチップ封印シールの正面図である。
【図３】第２実施例の遊技機の制御基板改竄チェックシステムの使用説明図である。
【符号の説明】
１０    制御基板
１２    基板収容ケース
１６    ケース本体
１８    ケース蓋
２０    ＩＣチップ封印シール
２２    パッケージ部
２４    ＩＣチップ
２６    接着剤
３０    ＩＣ読取チェッカー
【図１】
2005021314.tif 000003
【図２】
2005021314.tif 000004
【図３】
2005021314.tif 000005